(57)【要約】【課題】ブリュースター型の偏光板を使用する光配向処理において、Ｓ波成分を使用した光配向を実現することを目的とする。【解決手段】本発明に係る光配向照射装置は、前記光源部から出射された光源光を、ブリュースター型の複数の偏光板で順に反射させて形成した偏光光を、ステージと対向する側に設けられた開口から出射し、走査部にて偏光光照射部とステージを相対的に移動させつつ、開口から射出される偏光光を基板に照射することを特徴とする。【選択図】図５
2016024416.tif 000002
【特許請求の範囲】
【請求項１】
ステージと、偏光光照射部と、走査部と、制御部と、を備え、
前記ステージは、配向膜が表面に形成された基板を載置可能とし、
前記偏光光照射部は、光源部と、複数の偏光板を有し、
前記光源部は、光源光を出射し、
前記複数の偏光板は、ブリュースター型の偏光板であり、前記光源部から出射された光源光を前記複数の偏光板で順に反射させて形成した偏光光を、前記ステージ側に出射し、
前記制御部は、前記走査部にて前記偏光光照射部と前記ステージを相対的に移動させつつ、前記偏光光照射部から射出される偏光光を前記基板に照射する光配向処理を実行する
光配向照射装置。
【請求項２】
前記複数の偏光板は、透過するＰ波成分の波長帯域が異なる偏光特性を有する
請求項１に記載の光配向照射装置。
【請求項３】
前記偏向光照射部は、波長制限フィルタを有し、
前記複数の偏光板の偏光特性は、前記波長制限フィルタが透過する波長帯域内のＰ波成分を除去する
請求項２に記載の光配向照射装置。
【請求項４】
基板に対する偏光光の照射領域を走査することで光配向を行う光配向照射方法において、
光源部から光源光を出射させ、
前記光源部から出射された光源光を、ブリュースター型の複数の偏光板で順に反射させて形成した偏光光を前記基板に照射する
光配向照射方法。
【発明の詳細な説明】
【技術分野】
【０００１】
本発明は、液晶表示板製造分野にて使用されるものであって、特に、液晶表示装置に用いられる基板上において、液晶分子が望ましい角度と方向に整列するよう配向膜に配向性を付与するための光配向照射装置に関するものである。
【背景技術】
【０００２】
近年の液晶表示分野の利用が拡大し需要が増大するに従って、旧来の液晶表示装置の欠点であった視野角、コントラスト比、動画性能表示などの改善が強く求められている。特に液晶表示基板上にて、液晶分子に配向性を付与する配向膜においては、配向方向の均一化、プレチルト角の付与、単一画素内での複数領域の形成（マルチドメイン）など各種改善が進められている。
【０００３】
従来、液晶表示基板上に形成されたポリマー層（配向膜）に配向特性を付与することの利点並びにそのための技術は広く知られている。このような配向特性を付与する方法として布ラビング法と称される方法があるが、この方法は、布を巻き付けたローラーを回転させつつ、基板を移動させて、表面のポリマー層を強く一方向に擦る処理である。
【０００４】
しかしながら、この布ラビング法では、静電気の発生、配向膜表面に生じる傷、粉じんの発生など様々な欠点が指摘されている。特に、近年、液晶表示装置が高精細化する状況においては、僅かな傷であっても観察する画質に影響することが考えられる。この布ラビング法の問題を回避するため、配向膜に紫外領域の偏光光を照射して配向特性を付与する光ラビング法が知られている。
【０００５】
基板面に塗布された配向膜に対して、偏光光を照射して配向処理を行う、光配向照射装置では、棒状のランプを照射する光源に対してワイヤーグリッド偏光子により、偏光照射光を生成するタイプのものがある。この照射装置では、棒状のランプでの出射光は長軸に沿った照度は比較的均一に出来るものの、ワイヤーグリッド偏光子自体の性能のバラつきによって照度がばらつく問題があり、これを均一化するために、一方向に沿って並べて配置された遮光手段を、並べた一方向と交差する方向に調整可能としたものがある。
【０００６】
その一方で、光源の出射部分から基板照射面に向けて略平行光を照射する紫外線ランプで、少なくとも照射領域の長軸方向に沿って複数並べたタイプのものがある。このタイプの配向照射装置では、理論上、ランプの長尺方向の長さに制限が無いことや、照射光が略平行光であるために質の良い光が照射できること、更には波長帯の依存性が非常に少ないブリュースター型の偏光子によって偏光照射光が生成されるために、幅広い波長帯の偏光光が利用できるなどの利点がある（特許文献１、２）。
【０００７】
図１０には、特許文献１、２に記載されるような、ブリュースター型の偏光板Ｂを使用する従来の光配向方法を示したものである。図中、光配向の対象となる基板Ａの設置面をＸＹ平面、基板Ａの走査方向をＹ方向、ＸＹ平面に直交する方向をＺ方向としている。ブリュースター型の偏光板Ｂは、ブリュースター角度で入射する光をＰ波成分とＳ波成分に分ける偏光機能を有している。ブリュースター型の偏光板Ｂを透過した光源光のＰ波成分は、基板Ａの照射領域を照射する。一方、ブリュースター型の偏光板Ｂで反射した光源光のＳ波成分は、光配向に使用されることなく除去される。
【０００８】
このようにブリュースター型の偏光板Ｂを使用した光配向方法では、ブリュースター型の偏光板Ｂは、図１０に示されるように、基板Ａに対して傾斜角度を有して配置されることが一般的である。このような配置形態では、照射領域の幅方向（Ｘ方向）において、ブリュースター型の偏光板Ｂと照射領域の距離を略一定とすることが可能であり、照射領域の幅方向における照射光の特性を揃えることが可能となっている。
【先行技術文献】
【特許文献】
【０００９】
【特許文献１】特許第５１７７２６６号公報
【特許文献２】特許第５０７７４６５号公報
【発明の概要】
【発明が解決しようとする課題】
【００１０】
図１０に示すブリュースター型の偏光板Ｂを使用する従来の光配向では、走査方向がＰ波成分の方向と略一致したものとなっている。このように走査方向とＰ波成分の方向が略一致した場合、基板Ａの幅方向で発生する偏光光の特性のバラツキが走査によって積分されず、基板Ａの配向特性にバラツキが生じることが考えられる。
【００１１】
図１０に示す従来の配向において、Ｐ波成分の方向を走査方向に対して傾斜させるには、ブリュースター型の偏光板ＢをＸＹ平面内で回転させることが考えられる。しかしながら、そのような場合、ブリュースター型の偏光板Ｂの高さが高くなり、装置が大型化するため、現実的ではない。また、照射領域の幅方向（Ｘ方向）において、ブリュースター型の偏光板Ｂと照射領域の距離が異なるため、照射光の特性も不揃いになってしまう。
【００１２】
本発明は、ブリュースター偏光板を使用して光配向を行う光配向照射装置において、配向対象となる基板に対して優れた配向特性を付与することを目的とするものである。
【課題を解決するための手段】
【００１３】
そのため、本発明に係る光配向照射装置は、以下の構成を採用する。
ステージと、偏光光照射部と、走査部と、制御部と、を備え、
前記ステージは、配向膜が表面に形成された基板を載置可能とし、
前記偏光光照射部は、光源部と、複数の偏光板を有し、
前記光源部は、光源光を出射し、
前記複数の偏光板は、ブリュースター型の偏光板であり、前記光源部から出射された光源光を前記複数の偏光板で順に反射させて形成した偏光光を、前記ステージ側に出射し、
前記制御部は、前記走査部にて前記偏光光照射部と前記ステージを相対的に移動させつつ、前記偏光光照射部から射出される偏光光を前記基板に照射する光配向処理を実行する。
【００１４】
さらに本発明に係る光配向照射装置において、
前記複数の偏光板は、透過するＰ波成分の波長帯域が異なる偏光特性を有する。
【００１５】
さらに本発明に係る光配向照射装置において、
前記偏向光照射部は、波長制限フィルタを有し、
前記複数の偏光板の偏光特性は、前記波長制限フィルタが透過する波長帯域内のＰ波成分を除去する。
【００１６】
また本発明に係る光配向照射方法において、
基板に対する偏光光の照射領域を走査することで光配向を行う光配向照射方法において、
光源部から光源光を出射させ、
前記光源部から出射された光源光を、ブリュースター型の複数の偏光板で順に反射させて形成した偏光光を前記基板に照射する。
【発明の効果】
【００１７】
本発明の光配向照射装置、光配向照射方法によれば、ブリュースター型の複数の偏光板で順に反射させて形成した偏光光を前記基板に照射することによって、ブリュースター型の偏光板で反射したＳ波成分を基板に照射することが可能である。したがって、基板に照射する偏光光を、基板の走査方向に対して傾斜させることが可能となり、優れた配向特性を基板に付与することが可能である。また、複数の偏光板で反射させることで、光路を屈曲させ、装置の小型化を図ることも可能となる。
【００１８】
さらに、本発明の光配向照射装置、光配向照射方法によれば、複数の偏光板の偏光特性を異ならせることで、基板に照射する偏光光（Ｓ波成分のみ）の波長帯域の拡大を図ることが可能となる。ブリュースター型の偏光板の偏光特性（波長帯域）は、光配向に必要な波長帯域よりも狭い場合がある。複数の偏光板の偏光特性を異ならせることで、基板に照射する偏光光の波長帯域の拡大を図り、偏光光を光配向に必要な波長帯域とすることが可能となる。
【００１９】
さらに、本発明の光配向照射装置、光配向照射方法によれば、波長制限フィルタを設けることで、基板Ａに照射される偏光光中に、不要なＰ波成分が混入することが抑制される。したがって、Ｐ波成分の混入が抑制された質の高い偏光光によって光配向を行うことが可能となり、基板に優れた配向特性を付与することが可能となる。
【図面の簡単な説明】
【００２０】
【図１】光配向照射装置の上面図（第１実施形態）
【図２】光配向照射装置の上面図（第１実施形態、照射時）
【図３】光配向照射装置の側断面図（第１実施形態）
【図４】光源部の下面図、断面図（第１実施形態）
【図５】光配向照射装置の光路を示す断面図（第１実施形態）
【図６】偏光板による波長の変化を説明するための図（第１実施形態）
【図７】光配向照射装置の制御構成を示すブロック図（第１実施形態）
【図８】光配向照射装置の光配向処理を示すフロー図
【図９】光配向照射装置の光路を示す断面図（第２実施形態）
【図１０】ブリュースター偏光板を使用した従来の光配向を説明するための図
【発明を実施するための形態】
【００２１】
（第１実施形態）
本発明に係る光配向照射装置の第１実施形態について説明する。図１、図２は、第１実施形態について、光配向照射装置１の構成を示す上面図である。本実施形態の光配向照射装置１は、偏光光照射部２、ステージ１１、走査部を主な構成要素として有する。偏光光照射部２は、基板Ａの表面に形成された配向膜に対して、ステージ１１側に形成された開口２５ｆを通して、紫外線を照射することで、配向膜に配向特性を付与する手段である。図１に示されるように、本実施形態では、ステージ１１の面（基板Ａの面）をＸＹ平面とし、ＸＹ平面に直交する軸をＺ軸としている。そして、ステージ１１の移動方向をＹ方向に設定している。
【００２２】
ステージ１１には、露光対象となる基板Ａが設置される。本実施形態では、基板Ａの走査方向が、液晶表示装置としての利用時における縦方向または横方向となるように設置される。露光対象となる基板Ａの表面には、ポリイミドなどの光反応性高分子からなる膜状の高分子からなる配向膜が形成されている。この配向膜上に偏光紫外線を照射して高分子膜を変性せしめ、図示されていない以降の工程で高分子膜上に液晶分子を塗布すると、液晶分子が高分子膜から作用を受け特定の方向に整列（配向）する。本来は、この配向特性が付与された高分子膜を配向膜と称するが、一般に配向特性を付与する以前の高分子膜も配向膜と称しており、本明細書においても配向特性を付与する以前の高分子膜も含めて配向膜と称する。
【００２３】
走査部は、紫外線を照射する偏光光照射部２とステージ１１を相対的に移動させる手段である。本実施形態では、基台１９に対して偏光光照射部２は固定されており、走査部は、基台１９に対してステージ１１をＹ軸方向に移動させる。ステージ１１は、２本のＬＭレール１４ａ、１４ｂ上を移動するＬＭブロック１５ａ〜１５ｄ上に固定されている。本実施形態では、ステージ１１を移動させる走査部として、ボールネジ１６を使用している。ボールネジ１６は、ステージ１１の下方に設けられた受け部に貫通して設けられている。ボールネジ１６は、一端が軸受け１８で、他端がボールネジ駆動部１７で軸支されており、ボールネジ駆動部１７の回転制御にて、ステージ１１をＹ軸方向に移動させる。
【００２４】
本実施形態の走査部は、偏光光照射部２とステージ１１を相対的に移動させるため、偏光光照射部２を固定し、ステージ１１を移動させる形態としているが、偏光光照射部２を移動させる、あるいは、偏光光照射部２とステージ１１を両方移動させる形態としてもよい。また、走査部には、ボールネジ１６を採用しているが、ステージ１１あるいは偏光光照射部２を移動させる手段には、各種形態を採用することが考えられる。例えば、リニアモータを採用することが考えられる。リニアモータは、駆動時に振動の発生が少ないとともに、位置決めの精度が高いため、本発明における走査部に採用することが好適である。
【００２５】
図１に示す状態から、偏光光照射部２にて紫外線（偏光光）を照射しつつ、ステージ１１を移動させることで、ステージ１１上に載置された基板Ａに対する光配向処理が実行される。ステージ１１の移動は、ボールネジ駆動部１７でボールネジ１６を回転させることで行われる。図２には、基板Ａが開口２５ｆに対向する位置を通過する様子が示されている。開口２５ｆからは紫外線が射出され、開口２５ｆの下方を通過する基板Ａの表面に照射される。このように基板Ａに紫外線を照射する光配向処理を行うことで、基板Ａの表面に形成されている配向膜に配向特性を付与することが可能となる。
【００２６】
図３は、光配向照射装置１についてＹＺ平面内での側断面図を示した図である。特に、偏光光照射部２の内部構成について説明するための図である。偏光光照射部２は、照射部筐体２１、光源部２２、第１偏光板２４ａ〜第４偏光板２４ｄ、遮蔽部材２３を有して構成されている。照射部筐体２１の内部には、複数の隔壁を有している。隔壁には、光源部２２から出射した紫外線を通過させるための開口２５ａ〜２５ｆが設けられている。本実施形態では、光源部２２から出射した紫外線が、第１偏光板２４ａ、第２偏光板２４ｂ、第３偏光板２４ｃ、第４偏光板２４ｄの順で反射した後、開口２５ｆから出射し、基板Ａに照射される。
【００２７】
遮蔽部材２３は、Ｙ軸方向に移動可能な板状の部材である。図３の状態は開口２５ｃを開放した状態であるが、遮蔽部材２３をＹ軸負の方向に移動させることで、開口２５ｃを閉鎖する。偏光光照射部２による紫外線照射が不要な場合、遮蔽部材２３を移動させ、開口２５ｃを遮蔽する。光源部２２を点灯開始した場合、紫外線の照度が安定化するのには数十分の時間が必要となる場合がある。本実施形態では、紫外線照射が一時的に不要な場合、遮蔽部材２３で開口２５ｃを遮蔽しておくことで、紫外線照射を中断するとともに、紫外線照射が必要なときに開口２５ｃを開放することで、偏光光照射部２による紫外線照射を迅速に復旧させることが可能となる。また、遮蔽部材２３で開口２５ｃを閉鎖しておくことで、不要な時間に紫外線を照射させることなく、装置の構成部品を紫外線による劣化から保護することも可能となる。
【００２８】
図４は、第１実施形態（第２実施形態でも使用可能）で使用する光源部２２の下面図、断面図である。本実施形態の光源部２２は、複数のショートアークランプ２２１を備えて構成されている。従来の光配向照射装置では、大面積の基板Ａを均一に配向させるため、ロングアークランプのような大型の光源が使用されることが一般的である。ロングアークランプは、大きい基板Ａに対応できる長い光源を形成することが困難であり、また、高価になりがちである。また、このような大型の光源は、発熱量が多いため、水冷で対応する必要があり、システム構成が大がかりとなっていた。本実施形態では、紫外線の光源にショートアークランプ２２１を使用することで、取り扱いが容易になると共に、冷却も空冷で対応できるためシステム構成を容易なものとしている。
【００２９】
図４（Ａ）は、光源部２２を下方（Ｚ軸負の方向）から眺めた下面図であり、図４（Ｂ）は、図４（Ａ）に示す下面図に記載するＤ−Ｄ間の断面図である。本実施形態の光源部２２は、ショートアークランプ２２１が複数配列されたランプ列２２２ａ〜２２２ｃを備えて構成されている。このようにショートアークランプ２２１をＸ軸方向、すなわち、基板Ａの幅方向にわたって複数配列することで、非常に長い紫外線光源を形成することが可能となる。したがって、幅の大きな基板Ａに対してもランプ列２２２ａ〜２２２ｃ中のショートアークランプ２２１の数を増やすことで対応可能となる。
【００３０】
なお、本実施形態のショートアークランプ２２１には、出射された紫外線の波長を制限する波長制限フィルタ２２１ａが設けられている。波長制限フィルタ２２１ａは、ショートアークランプ２２１のレンズ面のコーティング等によって構成することが可能である。波長制限フィルタ２２１ａは、上限と下限を有する通過波長帯域を有するものが使用される。本実施形態では、上限波長を４２０［ｎｍ］、下限波長を３００［ｎｍ］に設定している。このように波長制限フィルタ２２１ａを設けることで、基板Ａに照射される紫外線に第１偏光板２４ａ〜第４偏光板２４ｄの有効波長外の不要なＰ波成分が混入することが抑制される。本実施形態では、各ショートアークランプ２２１が波長制限フィルタ２２１ａを有する構成としたが、この波長制限フィルタ２２１ａは、基板Ａに照射されるまでの紫外線の光路中、適宜箇所に設けることとしてもよい。
【００３１】
なお、波長制限フィルタ２２１ａの下限波長は、２４０[ｎｍ］とすることが好ましい。ショートアークランプ２２１における４０ｎｍ以下の波長は大気中の酸素を分解し、オゾンを発生させる。オゾンは、物質を酸化させる効果が強く、装置を構成する部品のみならず人体にも影響を及ぼす可能性がある。したがって、使用するショートアークランプ２２１について、２４０ｎｍ以下の波長帯を出射しない構成とすることで、オゾンの発生を抑えた構成とすることが可能となる。
【００３２】
また、本実施形態では、複数のランプ列２２２ａ〜２２２ｃが設けられている。このような構成により、各ランプ列２２２ａ〜２２２ｃ内でのショートアークランプ２２１間で発生するＸ軸方向の照度のばらつきを緩和することが可能となる。特に、図４（Ａ）に示すように、隣接するランプ列２２２ａ〜２２２ｃ間でショートアークランプ２２１の中心位置を異ならせる（ずらす）ことで、ショートアークランプ２２１の隣接部付近で生じる照度のばらつきの緩和が図られる。
【００３３】
本実施形態では、各ランプ列２２２ａ〜２２２ｃの照射中心軸２２３ａ〜２２３ｃが交点Ｍｐで交わるように各ランプ列２２２ａ〜２２２ｃを傾斜して配置している。このような構成により、各ランプ列２２２ａ〜２２２ｃから出射された紫外線は、基板Ａ上における照射領域が重畳され、基板Ａ上における偏光光の照射強度の増加が図られる。また、本実施形態では、光源部２２から出射された紫外線は、第１偏光板２４ａ〜第４偏光板２４ｄで反射され、所望の周波数帯域における偏光紫外線に変換されることとなるが、このように紫外線が光路を経るに連れて集束することで、照射部筐体２１の小型化を図ることも可能となる。
【００３４】
では、このような偏光光照射部２について、光源部２２から出射された紫外線が、基板Ａに照射されるまでの光路について説明する。図５は、偏光光照射部２の光路を示す断面図である。光源部２２から出射された紫外線は、開口２５ａから照射部筐体２１内に入射する。照射部筐体２１に入射した紫外線は、開口２５ｂ、２５ｃを通過して、第１偏光板２４ａに入射する。本実施形態の第１偏光板２４ａ〜第４偏光板２４ｄは、ブリュースター型の偏光板を使用している。したがって、各第１偏光板２４ａ〜第４偏光板２４ｄは、照射部筐体２１中において、定められたブリュースター角度で紫外線が入射するように配置されている。ブリュースター型の偏光板は、その有効波長帯域において、Ｐ波を透過させ、Ｓ波を反射させる偏光特性を有する。各第１偏光板２４ａ〜第４偏光板２４ｄは、偏光特性（有効波長帯域）が異なるものを使用している。ブリュースター型の偏光板の有効波長帯域は、光配向処理に必要な有効波長帯域よりも小さい。本実施形態では、有効波長帯域の異なる複数の偏光板を使用することで、光配向処理に必要なＳ波の有効波長帯域を稼いでいる。
【００３５】
図６には、第１偏光板２４ａ〜第４偏光板２４ｄによる波長の変化を説明するための図が示されている。図６（Ａ）は、光源部２２から出射した光源光を示したものである。横軸は波長であり、縦軸は光の強度（照度）を示している。光源光は、Ｓ波成分（Ｓ０）とＰ波成分（Ｐ０）を含んで構成される。図６では、Ｓ波成分を実線で、Ｐ波成分を破線で示している。実際にはＳ波成分（実線）とＰ波成分（破線）が重畳する箇所について、図では分かりやすいように、僅かにずらして記載している。図６（Ａ）に示される光源光は、波長制限フィルタ２２１ａにより、上限波長が４２０［ｎｍ］に、下限波長が３００［ｎｍ］に制限された波長帯域を有して構成されている。この波長帯域内に同強度のＳ波成分（Ｓ０）とＰ波成分（Ｐ０）を含んでいる。
【００３６】
第１偏光板２４ａの有効波長帯域Ｗ１は、上限波長が３４０［ｎｍ］、下限波長が３００［ｎｍ］の有効波長帯域を有する。したがって、図６（Ｂ）に示されるように、第１偏光板２４ａで反射された紫外線は、有効波長帯域Ｗ１におけるＰ波成分がカットされる。第１偏光板２４ａで反射した紫外線は、第２偏光板２４ｂに定められているブリュースター角度で第２偏光板２４ｂに入射する。第２偏光板２４ｂの有効波長帯域Ｗ２は、上限波長が３８０［ｎｍ］、下限波長が３４０［ｎｍ］の有効波長帯域を有する。したがって、図６（Ｃ）に示されるように、第２偏光板２４ｂで反射された紫外線は、有効波長帯域Ｗ２におけるＰ波成分がカットされる。
【００３７】
第２偏光板２４ｂで反射した紫外線は、開口２５ｄを通過し、第３偏光板２４ｃに定められているブリュースター角度で第３偏光板２４ｃに入射する。第３偏光板２４ｃの有効波長帯域Ｗ３は、上限波長が４２０［ｎｍ］、下限波長が３８０［ｎｍ］の有効波長帯域を有する。したがって、図６（Ｄ）に示されるように、第３偏光板２４ｃで反射された紫外線は、有効波長帯域Ｗ３におけるＰ波成分がカットされる。第３偏光板２４ｃで反射した紫外線は、第４偏光板２４ｄに入射する。第４偏光板２４ｄの有効波長帯域Ｗ４は、上限波長が４２０［ｎｍ］、下限波長が３８０［ｎｍ］の有効波長帯域を有する。したがって、図６（Ｅ）に示されるように、第４偏光板２４ｄで反射された紫外線は、有効波長帯域Ｗ４におけるＰ波成分がカットされる。
【００３８】
このように第１偏光板２４ａ〜第４偏光板２４ｄで反射させることで、光源部２２から出射され、開口２５ｆから出射されるまでの光路を屈曲させることで、偏光光照射部２に必要な高さＨを抑えることが可能となっている。光配向照射装置１が設置される現場は、天井が低く、背の高い装置を設置できない場合がある。本実施形態の光配向照射装置１は、高さＨを抑えることで、天井の低い現場にも設置することが可能である。また、照射部筐体２１中、各第１偏光板２４ａ〜第４偏光板２４ｄを透過した光（Ｐ波成分）は、基板Ａに照射する紫外線の光路に混入しないように隔壁で遮断することが、優れた配向特性を実現する上で好ましい。
【００３９】
第４偏光板２４ｄで反射した紫外線は、開口２５ｆから出射され、基板Ａに照射される。基板Ａに照射される紫外線は、図６（Ｅ）に示されるように、第１偏光板２４ａ〜第４偏光板２４ｄでの反射によって、Ｐ波成分（Ｐ４）が除去され、光配向処理に必要なＳ波成分（Ｓ４）のみとなる。このように本実施形態では、ブリュースター型の偏光板にて紫外線を偏光する光配向照射装置１において、Ｓ波成分の配向光にて基板Ａを配向させることが可能である。Ｐ波成分を使用した形態と異なり、Ｓ波成分は、走査方向に対して角度を有するため、基板Ａに対して優れた配向特性を付与することが可能となる。
【００４０】
図７は、光配向照射装置１の制御構成が示されている。制御構成としては、光配向照射装置１を統括して制御する制御部８１を有している。制御部８１は、所謂コンピュータを利用して構成することが可能であり、ＣＰＵ、ＲＡＭ、ＲＯＭ、ハードディスク等の記憶部を備えている。記憶部には、各種処理を実行するためのプログラムや、情報（データ）が記憶される。制御部８１には、ユーザーに対して各種情報を表示するための表示部８３、ユーザーから各種情報、指示を入力するための入力部８４が接続されている。表示部８３と入力部８４は、タッチパネル画面として構成することとしてもよい。制御部８１の制御対象としては、ボールネジ駆動部１７によるボールネジ１６の回転制御、光源部２２の点灯制御、遮蔽部材２３の開閉制御を行うことが可能である。
【００４１】
このような光配向照射装置１の制御構成に基づき、基板Ａの配向膜に対する光配向処理が実行される。図８には、光配向処理のフロー図が示されている。光配向処理が開始すると、制御部８１は、遮蔽部材２３を閉状態に変更し、開口２５ｃを塞ぐことで、照射部筐体２１から紫外線が出射されない状態にする（Ｓ１０１）。そして、光源部２２を点灯する（Ｓ１０２）。光源部２２にはショートアークランプ２２１を使用しているが、紫外線の照度が安定化するには時間がかかることがある。本実施形態では、光源部２２の照度が安定するのを待ってから、基板Ａに紫外線を照射することとしている。
【００４２】
光源部２２が照射可能状態となった、すなわち、出射する紫外線の照度が安定したと判断された場合（Ｓ１０３：Ｙｅｓ）、制御部８１は、遮蔽部材２３を開状態に変更し、開口２５ｆからステージ１１側に紫外線を照射開始する（Ｓ１０４）。そして、走査手段により、基板Ａに対する紫外線の照射領域を走査させる（Ｓ１０５）。本実施形態では、ボールネジ駆動部１７によってボールネジ１６を回転駆動することで、ステージ１１をＹ軸方向に移動させ、照射領域の走査を行うこととしている。基板Ａに対する照射領域の走査が完了した場合（Ｓ１０６：Ｙｅｓ）、制御部８１は、走査手段を停止（Ｓ１０７）させ、遮蔽部材を閉状態に変更（Ｓ１０８）して、光配向処理を終了する。
【００４３】
（第２実施形態）
図３に示されるように第１実施形態では、照射部筐体２１上に光源部２２を配置する構成としているが、本発明は、偏光板によって光路を屈曲させるため、光源部２２のは、必ずしも照射部筐体２１の上方に配置する必要は無く、その配置を自由に選択することが可能である。図９は、第２実施形態について、光配向照射装置の構成、及び、光路を示した断面図である。本実施形態は、照射部筐体２１の側面に光源部２２を配置した構成となっている。したがって、第２実施形態の偏光光照射部２は、光源部２２の高さを必要とせず、第１実施形態の偏光光照射部２よりも低い高さＨ’を実現している。
【００４４】
また、第２実施形態の偏光光照射部２は、第１実施形態の偏光光照射部２を９０度傾けた配置となっている。第１偏光板２４ａ〜第４偏光板２４ｄは、ブリュースター角度を満たすように照射部筐体２１内に設置する必要がある。第１実施形態の傾斜角度（ＸＹ平面と各第１偏光板２４ａ〜第４偏光板２４ｄが形成する角度）は、４５度以上となっている。一方、第２実施形態では、偏光光照射部２が９０度傾いた配置となるため、第１偏光板２４ａ〜第４偏光板２４ｄの傾斜角度は４５度以下となっている。したがって、第１実施形態よりも各第１偏光板２４ａ〜第４偏光板２４ｄについて、Ｚ軸方向の高さを抑え、低い偏光光照射部２の高さＨ’を実現している。
【符号の説明】
【００４５】
１…光配向照射装置              ２２１…ショートアークランプ
２…偏光光照射部                ２２１ａ…波長制限フィルタ
１１…ステージ                  ２２２ａ〜２２２ｃ…ランプ列
１２…回転部                    ２２３ａ〜２２２ｃ…照射中心
１４ａ、１４ｂ…ＬＭレール      ２３…遮蔽部材
１５ｃ、１５ｄ…ＬＭブロック    ２４ａ…第１偏光板
１６…ボールネジ                ２４ｂ…第２偏光板
１７…ボールネジ駆動部          ２４ｃ…第３偏光板
１８…軸受                      ２４ｄ…第４偏光板
１９…基台                      ２５ａ〜２５ｆ…開口
２１…照射部筐体                Ａ…基板
２２…光源部
【図１】
2016024416.tif 000003
【図２】
2016024416.tif 000004
【図３】
2016024416.tif 000005
【図４】
2016024416.tif 000006
【図５】
2016024416.tif 000007
【図６】
2016024416.tif 000008
【図７】
2016024416.tif 000009
【図８】
2016024416.tif 000010
【図９】
2016024416.tif 000011
【図１０】
2016024416.tif 000012